(57)【特許請求の範囲】
【請求項１】
部屋内の天井面における一側縁の近傍に沿って吹出スリットを設け、前記側縁と対向する側縁の近傍に沿って排気スリットを設け、前記各スリットは天井面の前記各側縁の略全長に延びるものとし、天井面の一部または全体を、吹出口付きの空調用天井パネルが並設されたものとし、前記空調用天井パネルは、断熱性の発泡樹脂製の天井パネルであって、下面に開口した吹出口と、この吹出口の内壁面および２面のパネル端面に開口したダクト空間部とを有し、かつこの空調用天井パネルは、３層の断熱性の発泡樹脂材を積層して構成され、下層の発泡樹脂材には前記吹出口となる繰抜部が形成され、中間層の発泡樹脂材には前記吹出口となる繰抜部と前記ダクト空間部となる繰抜部とが形成され、中間層の吹出口およびダクト空間部となる繰抜部の上面は上層の発泡樹脂材で蓋され、中間層のダクト空間部となる繰抜部の下面は下層の発泡樹脂材で蓋され、前記空調用天井パネルの下面は通気性のクロスで覆って前記吹出口を隠蔽し、並設された互いに隣接する空調用天井パネルはダクト空間部が互いに連通した通気ダクトを構成するものとし、前記いずれかの空調用天井パネルのダクト空間部に、温度調整空気を供給する空調機を接続した天井空調装置。
【請求項２】
前記空調用天井パネルに電気ヒータを設けた請求項１記載の天井空調装置。
【発明の詳細な説明】
【０００１】
【発明の属する技術分野】
この発明は、住宅等の建物、特に寒冷地用等の高気密・高断熱住宅に適した天井空調装置に関する。
【０００２】
【従来の技術および発明が解決しようとする課題】
住宅等の建物において、適度の換気を図ることは、快適な居住性や建物寿命の向上のために重要となる。特に、寒冷地用等の高気密・高断熱住宅では、自然換気だけでは不十分であり、強制換気が必要となる。
従来の強制換気手段としては、天井面に局部的に新鮮空気の吹出口と室内空気の排気口とを一箇所または複数箇所に設ける構造が一般に採られている。
しかし、局部的に吹出口や排気口を設けたのでは、室内全体の換気を良好に行うことが難しく、空気の流れが淀んで換気不十分となる箇所が生じる。また、居住者に風が当たるなどして不快感を与えることがある。
一方、室内の冷暖房は、壁掛式の空調機を取付けるのが一般的であり、一部において、天井ビルトイン空調機も採用されている。しかし、これらは、いずれも温度調整した空気を単に室内で循環させる対流型であるため、温度むらが多くて快適な冷暖房が難しく、また室内の換気流と干渉しあって快適な換気や冷暖房が行えない場合がある。
【０００３】
この発明は、上記の課題を解消するものであり、室内全体にむらのない快適な換気が効率的に行える天井空調装置を提供することを目的とする。
この発明の他の目的は、換気と冷暖房との調和が図れて換気および冷暖房の両方を快適に効率良く行えるようにすることである。
【０００４】
【課題を解決するための手段】
この発明の天井空調装置は、部屋内の天井面における一側縁の近傍に沿って吹出スリットを設け、前記側縁と対向する側縁の近傍に沿って排気スリットを設けたものである。各スリットは天井面の前記各側縁の略全長に延びるものとする。なお、これらのスリットは、必ずしも連続したものでなくても良く、複数本に分かれたスリット部分が縦列に並んで天井面の各側縁の略全長に延びるものであっても良い。
この構成によれば、天井面の一側縁の吹出スリットから下向きに吹き出された新鮮空気が室内の下部を通って天井面の他側縁の排気スリットに吸い込まれる。各スリットは天井面の各側縁の略全長に延びるものであるため、前記吹き出し空気は、室内空間の全体を流れる。そのため、淀み部分を生じることなく、室内全体にむらのない換気が効率的に行える。吹出スリットおよび排気スリットが天井面の略全長に長く設けられるため、換気量が同じであっても空気流れは低速となり、居住者に空気流れを感じさせない程度の風速で換気が行える。そのため快適な換気となる。さらに、吹出および排気の各スリットは、天井面の側縁ではなく側縁の近傍に設けるので、壁際から若干離れた位置で吹出し空気の下降および吸引空気の上昇が行われることになり、これにより一層効率的で均一な換気が行える。
【０００５】
前記天井面の一部または全体を、吹出口付きの空調用天井パネルが並設されたものとし、前記空調用天井パネルを、断熱性の発泡樹脂製の天井パネルであって、下面に開口した吹出口と、この吹出口の内壁面およびパネル端面に開口したダクト空間部とを有するものとし、前記いずれかの空調用天井パネルのダクト空間部に、温度調整空気を供給する空調機を接続した構成としてもよい。
このように構成した場合には、並設される空調用天井パネル間でダクト空間部が連通し、このダクト空間部に空調機から温度調整空気を送り込むことにより、各空調用天井パネルの吹出口から室内空間に温度調整空気が吹き出される。そのため、天井パネルを設置するだけで空調ダクトの配管作業や吹出口の取付け作業が完了することになり、施工が簡単になる。
【０００６】
【発明の実施の形態】
この発明の基礎となる提案例を、図１ないし図１１と共に説明する。図１はこの天井空調装置を室内側から見た斜視図、図２は天井裏側から見た斜視図である。
部屋１の天井面２は、周囲を一般天井パネルであるフェイスパネル３ａ，３ｂで構成して冷暖房機能を有しない天井部２Ａとし、中間部を天井放射パネル４で構成して放射冷暖房天井部２Ｂとしてある。天井放射パネル４は矩形状のものであり、複数枚を一列の横並びに並設してある。天井放射パネル４の長辺側に並ぶフェイスパネル３ｂは、天井放射パネル４と同じ長辺長さとし、短辺側に並ぶフェイスパネル３ａは、複数枚の天井放射パネル４にわたる長さとしてある。短辺側フェイスパネル３ａと天井放射パネル４の間には、換気用のスリット５Ａ，５Ｂを形成し、その裏側にダクト状の換気路である換気チャンバ３５（図３）が形成してある。すなわち、部屋１内の天井面２における一側縁の近傍に沿って換気空気を吹き出す吹出スリット５Ａが設けられ、前記側縁と対向する側縁の近傍に沿って換気空気を排気する排気スリット５Ｂが設けられる。天井裏空間６における各フェイスパネル３ａ，３ｂの上方部分は、天井放射パネル４に接続する冷温水の配管や換気用ダクト３４（図３）の配置スペースとし、これら配管およびダクト等のメンテナンスが容易なように、フェイスパネル３ａ，３ｂは着脱可能としてある。
【０００７】
フェイスパネル３ａ，３ｂは、断熱および化粧を図ったパネルであって、冷暖房機能を有しないものであり、例えば石膏ボードやスレート板などからなる複合板に仕上げ材となるクロスを貼り、軽量溝形鋼等のフレーム１０を外向きに取付けけたものとしてある（図３，図４）。フェイスパネル３ａ，３ｂとしては、上記したような複合板状のものに限らず、種々の構成のものを使用してよい。
【０００８】
図１０（Ａ），（Ｂ）に示すように、天井放射パネル４は、放熱板１１の下面にクロス１２を貼り、上面にグラスウール等の断熱材１３を積層したものである。クロス１２は、耐火構造とする場合はガラスクロスが好ましい。放熱板１１の上面の周囲には、軽量溝形鋼等のフレーム１４（図３）を外向きに取付けてある
。
【０００９】
放熱板１１は、図１０（Ｄ）に示すように、２枚のアルミ板１１Ａ，１１Ｂを積層状態に接合し、両アルミ板１１Ａ，１１Ｂの間に、片方のアルミ板１１Ａの膨らみ部分１５Ａともう片方のアルミ板１１Ｂの平面状部分１５Ｂとでなる流路用の膨管部１５を形成したものである。膨管部１５は、円弧あるいは楕円弧状の偏平形状とされている。膨らみ部分１５Ａ側の板１１Ａには軟質アルミ板が用いられ、もう片方の板１１Ｂには硬質アルミ板が用いられる。
【００１０】
放熱板１１の膨管部１５は、図１０（Ａ）の例では、矩形の放熱板１１の長手方向に延びる複数本の平行管路部１５ａに分岐させてあり、これら平行管路部１５ａの両端を連通させる連通管路部１５ｂと、各連通管路部１５ｂから他の配管へ接続する接続管路部１５ｃとを有するものとしてある。接続管路部１５ｃは、放熱板１１に取付けた差込接続式の配管継手１７に接続してある。
膨管部１５の各部の断面形状は、製造上、同一断面形状としてあるが、接続管路部１５ｃは他の管路部１５ａ，１５ｂよりも大きな断熱形状としてある。寸法例を示すと、放熱板１１の厚みｔ（図１０（Ｃ））が１．８〜２mmの場合に、膨管部１５の幅Ｂを２０mm、高さＨを２mmとしてある。この場合に、断熱材１３の厚みｔ１（図１０（Ｂ））は２０mmとしてある。この程度の偏平な膨管部１５であれば、前記の製造方法で容易に製造できる。
【００１１】
図７は、前記天井面２におけるフェイスパネル３ａ，３ｂおよび天井放射パネル４の配置構成の一例を示す。この例では、天井放射パネル４の４枚を一列に横並べし、その周囲を４枚のフェイスパネル３ａと２枚のフェイスパネル３ｂで囲んでいる。
図３および図４は、図７のＸ−Ｘ線拡大断面図およびＹ−Ｙ線拡大断面図であり、天井放射パネル４およびフェイスパネル３ａ，３ｂの建物躯体への取付構造を示す。Ｈ形鋼からなる梁１８の下面に軽量溝形鋼等からなる天井下地桟１９を取付け、その下地桟１９から吊りボルト２０で下向きリップ溝形のパネル係合桟２１を吊ってある。
図４のように、このパネル係合桟２１に天井放射パネル４の長辺の溝形のフレーム１４を係合させ、天井放射パネル４を支持させる。また、図３のように換気用スリット５（吹出スリット５Ａまたは排気スリット５Ｂ）を構成する断面概形ハット形の軽量溝形鋼等からなるスリットフレーム２２も、吊りボルト２０で前記下地桟１９に吊ってある。このスリットフレーム２２の上面にはその長手方向に延びるスリット開口２２ａが形成してあり、これに天井放射パネル４の短辺の溝形のフレーム１４が係合させてある。
フェイスパネル３ａは、図３のように片方の長辺を溝形のフレーム１０で前記スリットフレーム２２に係合させ、もう片方の長辺のフレーム１０を、壁面に取付けられた下地桟２３にビス等で固定することにより取付けてある。フェイスパネル３ｂは、図４のように片方の長辺を溝形のフレーム１０でパネル係合桟２１に係合させ、もう片方の長辺のフレーム１０を、壁面に取付けられた下地桟２３にビス等で固定することにより取付けてある。
前記前記スリットフレーム２２の上部には、図３のように換気チャンバ３５が接続され、この換気チャンバ３５に前記換気用ダクト３４が接続される。なお、吹出スリット５Ａ側の換気用ダクト３４は、送風機（図示せず）を介して屋外の給気口に開口しており、排気スリット５Ｂ側の換気用ダクト３４は、別の送風機（図示せず）を介して屋外の排気口に開口している。両換気用ダクト３４，３４内の給気と排気とは、建物内の適宜の位置に設けられた熱交換器（図示せず）を介して互いに熱交換され、換気に伴う熱損失が防止される。
【００１２】
図５は、フェイスパネル３ａの建物躯体への取付構造およびスリット裏換気路の他の例を示す。換気用スリット５の設置位置の上方には、上向きのリップ溝形鋼からなる下地バー２４が、前記吊りボルト２０で前記下地桟１９（図３）に吊ってある。この下地バー２４の下面側には、パネル受けプレート２５がビス等で固定される。このパネル受けプレート２５に、天井放射パネル４の短辺の溝形のフレーム１４が係合させてある。
また、フェイスパネル３ａは、片方の長辺のフレーム１０を、壁面に取付けられた下地桟２３に丁番２６を介して固定し、もう片方の長辺のフレーム１０を、前記パネル受けプレート２５に係合させることにより取付けてある。その取付施工においては、先ずフェイスパネル３ａの片方の長辺を、丁番２６を介して回動自在に壁面の下地桟２３に固定し、次に、もう片方の長辺のフレーム１０を前記パネル受けプレート２５に係合させることにより、簡単に取付けできる。
この場合、パネル受けプレート２５に係合させるフェイスパネル３ａのフレーム１０と、天井放射パネル４のフレーム１４とで、換気用スリット５のスリットフレームが構成される。前記下地バー２４には、前記スリット５（５Ａ，５Ｂ）に連通するスリット開口が形成され、この開口に換気用ダクト３４が接続されている。また、前記パネル受けプレート２５の下面には、図５（Ｂ）のように上面に発泡樹脂等からなるクッション材２７を設けた吹出カバー２８が固定されており、これにより換気用スリット５での吹出経路が迂回路となり、吹出スリット５Ａから吹き出す換気の風速を和らげることができる。
【００１３】
図６は、フェイスパネル３ａの建物躯体への取付構造およびスリット裏換気路のさらに他の例を示す。換気用スリット５の設置位置の上方に、上向きリップ溝形鋼からなる下地バー２４が、吊りボルト２０で前記下地桟１９に吊られ、この下地バー２４の下面側にパネル受けプレート２５がビス等で固定されること、およびパネル受けプレート２５に天井放射パネル４の短辺の溝形のフレーム１４と、フェイスパネル３ａの片方の長辺のフレーム１０が係合させてあることは、図５の例と同様である。フェイスパネル３ａのもう片方の長辺のフレーム１０は、壁面の下地桟２３に係合させてある。前記パネル受けプレート２５の下面には、両側部に通気用切欠２８ａを有する溝形の吹出バー２８Ａが仲介部材２７Ａを介してビス等により固定されており、これにより換気用スリット５での吹出経路が迂回路となり、吹出スリット５Ａから吹き出す換気の風速を和らげることができる。
【００１４】
図９は、標準的な部屋における前記フェイスパネル３ａ，３ｂおよび天井放射パネル４の各種割付例を示す。図９（Ａ）は、６畳の部屋の天井面２を、４枚のフェイスパネル３ａ、２枚のフェイスパネル３ｂ、および３枚の天井放射パネル４を割り付けることにより構成したものである。図９（Ｂ）は、同じ６畳の部屋の天井面２を、４枚のフェイスパネル３ａ、２枚のフェイスパネル３ｂ、および２枚の天井放射パネル４を割り付けることにより構成したものである。共に、放射パネル面積の割合は例えば５０％程度である。
図９（Ｃ），（Ｄ）は、８畳の部屋の天井面２を、４枚のフェイスパネル３ａ、２枚のフェイスパネル３ｂ、３枚の天井放射パネル４を割り付けることにより構成したものであり、共に放射パネル面積の割合は５５〜５６％程度である。
図９（Ｅ）は、１０畳の部屋の天井面２を、４枚のフェイスパネル３ａ、２枚のフェイスパネル３ｂ、および４枚の天井放射パネル４を割り付けることにより構成したものであり、放射パネル面積の割合は６０％程度である。
図９（Ｆ）は、１２畳の部屋の天井面２を、４枚のフェイスパネル３ａ、２枚のフェイスパネル３ｂ、および５枚の天井放射パネル４を割り付けることにより構成したものであり、放射パネル面積の割合は６１．８１％である。
図９（Ｇ）は、１６畳の部屋の天井面２を、４枚のフェイスパネル３ａ，２枚のフェイスパネル３ｂ、および７枚の天井放射パネル４を割り付けることにより構成したものであり、放射パネル面積の割合は６５％程度である。
【００１５】
図１１は、図１，図２の天井構造を各部屋に採用した１棟の住宅における２階部分の配管系統図である。この例では、複数の部屋Ｒ１〜Ｒ４に天井放射パネル４を各々複数枚並設し、１台のヒートポンプ式の冷温水源３０からポンプ３１，供給配管３２，および戻り配管３３を介して各部屋の天井放射パネル４に冷温水を循環させるようにしてある。同図では、一つの部屋Ｒ１のみにバルブ２９を図示して他は省略してあるが、供給配管３２から各天井放射パネル４に接続される戻り側分岐配管に、冷温水の開閉または絞りを行うバルブ２９が設けてある。すなわち、各天井放射パネル４毎にバルブ２９が設けてある。
【００１６】
この構成の天井空調装置によると、吹出リット５Ａから部屋１内に吹き出す換気流は床面付近に供給された後、床面に沿って低い速度で広がって部屋１の全域に行き渡る。また、床面に沿った換気流は、壁面に到達して壁面に沿う上昇流となり、天井面２に到達した換気流は天井面に沿って低速度で広がって行き、再び給気噴流に巻き込まれるようにして下降流となり部屋１内を循環する。さらに、一部の換気流は、排気スリット５Ｂから部屋１外に排気される。このようにして、穏やかな風速の換気流による快適な室内換気が可能となる。
【００１７】
図８は、前記天井空調装置において、吹出リット５Ａから部屋１内に吹き出し、排気スリット５Ｂから排気される換気流の速度分布を示す縦断面図である。同図において、矢印は風向きを示し、矢印の長さは風速の大きさを示す。この図から、換気流が部屋１内全域をほぼ均等な低速度で緩やかに循環していることが分かる。
【００１８】
また、前記天井空調装置では、天井放射パネル４の放熱板１１における膨管部１５に冷温水を循環させるので、天井面２で、部屋１内の放射冷暖房が行える。天井面２での放射冷暖房であるため、広範囲で熱放射が行え、部屋１内の何処に居ても快適な冷暖房効果が得られる。
天井放射パネル４の放熱板１１は、積層板として板自体に膨管部１５を形成したため、放熱板１１の全体に膨管部１５内の冷温水の熱が効率良く伝導する。そのため、効率の良い快適な放射冷暖房が行える。膨管部１５は上面のみに突出するものであり、放熱板１１の下面は平坦面であるため、部屋１内から見て膨管部１５の膨らみが見えず、見栄えが良い。また、放熱板１１にはアルミ板を使用するため、熱伝導効率が良く、膨管部１５の加工も容易である。
【００１９】
図１２は、前記天井放射パネル４の他の例を示す。この天井放射パネル４は、アルミ板等の高熱伝導材料の放熱板４１の上に銅管等の金属管からなる流路４５を形成し、その上に断熱材４３を積層すると共に、放熱板４１の下面と断熱材４３の上面とにクロス４２，４６を貼ったものである。クロス４２，４６には不織布やガラスなどが用いられる。断熱材４３にはグラスウール等が使用される。放熱板４１の上面の各辺には、軽量溝形鋼等のフレーム１４を外向きに取付けてある。フレーム１４は必ずしも設けなくても良く、また放熱板４１の縁部を立ち上げてその立上片をフレームの代わりとしても良い。
【００２０】
図１２（Ａ）に示すように、天井放射パネル４上の流路４５は、放熱板４１の略全体に分散して平行に配置された複数本の分岐流路４５ａと、これら分岐流路４５ａの一端同士および他端同士を各々連通させた一対の集合流路４５ｂ，４５ｂと、前記放熱板４１の一側部で分岐流路４５ａと平行に配置されて片方の集合流路４５ｂに連通した接続用流路４５ｃとでなる。この接続用流路４５ｃに連通する第１の接続口４７Ａを放熱板４１の前記一側部に配置し、もう片方の集合流路４５ｂに連通する第２の接続口４７Ｂを放熱板４１の他側部に配置してある。天井放射パネル４は平面形状が矩形であり、その長辺と平行に前記分岐流路４５ａが設けてある。また、前記両接続口４７Ａ，４７Ｂは、天井放射パネル４の長手方向に対する同じ側の端部に配置されている。
流路４５となる金属管は、図１２（Ｂ）のように粘着テープ等の止め具４８を被せて放熱板４１に固定してある。接続口４７Ａ，４７Ｂは、図１２（Ｃ），（Ｄ）に示すように、差し込み式またはねじ込み式の配管継手４９で構成される。配管継手４９は、汎用の銅管雌アダプタ等からなり、放熱板４１の上面に両面粘着テープ等で取付けられる。
【００２１】
図１３は、図１２の構成の天井放射パネル４を使用した場合の１棟の住宅における２階部分の配管系統図の一例である。この例では、複数の部屋Ｒ１〜Ｒ４に天井放射パネル４を各々複数枚並設し、１台のヒートポンプ式の冷温水源３０Ａから供給配管３２Ａ，および戻り配管３３Ａを介して各部屋の天井放射パネル４に冷温水を循環させるようにしてある。供給配管３２Ａおよび戻り配管３３Ａは、それぞれバルブ５０を介して各天井放射パネル４に接続される。
【００２２】
この構成の場合、流路４５の分岐流路４５ａが放熱板４１の略全体に分散して平行に配置されているため、天井放射パネル４の温度分布が均一化される。また、接続用流路４５ｃを分岐流路４５ａと平行に設けているため、第１の接続口４７Ａと第２の接続口４７Ｂとが天井放射パネル４１の一側部および他側部に各々配置される。そのため、天井放射パネル４を並設して順次直列に配管接続する場合に、接続配管が短くて済み、その断熱施工が省力化される。このように各天井放射パネル４を直列に配管接続した場合、個々の天井放射パネル４では分岐流路４５ａが並列接続状態となっているため、流路全体として直並列の接続状態となり、冷温水源３０Ａやポンプの能力に対して流量と流路抵抗のバランスが良い。また、蛇行状の流路と異なり、流路抵抗が小さくなる。
流路４５が、この例のように放熱板４１の上に取付けられた金属管である場合、放熱板４１自体に流路を形成する場合に比べて、熱伝導性は若干劣るが、流路抵抗は小さくなる。また、放熱板４１の上面には断熱材４３を積層してあるため、個々の流路４５に断熱施工を施す必要がなく、流路４５の熱が天井裏に逃げるのを簡単に防止できる。しかも、天井放射パネル４上の接続用流路４５ｃの断熱も図れる。
【００２３】
図１４（Ａ）〜（Ｄ）は、この発明の一実施形態にかかる天井空調装置における空調用天井パネルを示す。同図は、前記提案例の天井空調装置の天井面における天井放射パネル４に代えてスリット５，５間の部分に使用する空調用天井パネルの下面図、背面図、側面図、および表裏反転状態で示す斜視図である。この空調用天井パネル５１は３層の断熱性発泡樹脂材５２〜５４を積層して構成され、下面に開口した吹出口５５と、この吹出口５５の内壁面およびパネル両端面に開口したＴ字状のダクト空間部５６とを有する。下層の発泡樹脂材５４には前記吹出口５５となる繰抜部５４ａが形成される。中間層の発泡樹脂材５３には、前記吹出口５５となる繰抜部５３ａと、前記ダクト空間部５６となる繰抜部５３ｂとが形成される。吹出口５５およびダクト空間部５６となる中間層の発泡樹脂材５３の繰抜部５３ａ，５３ｂの上面は、上層の発泡樹脂材５２で蓋される。また、ダクト空間部５６となる中間層の発泡樹脂材５３の繰抜部５３ｂの下面は、下層の発泡樹脂材５４で蓋される。
前記下層の発泡樹脂材５４の、前記ダクト空間部５６の長手方向と平行な両側部は、中間層の発泡樹脂材５３の対応する両側部から若干引っ込め、これにより天井パネル５１の下面の両側部に、図示しない固定金物に載架する段部５７が形成されている。空調用天井パネル５１の平面形状は、例えば１辺が建物のモジュール寸法（８００〜１０００mm）よりも若干短い長さに正方形状としてあるが、長方形状としても良い。発泡樹脂材５２〜５４の厚みは、この例では中間層の発泡樹脂材５３を７５mm、上層および下層の発泡樹脂材５２，５４の厚みを１０mmとしてある。発泡樹脂の材質は、断熱性、加工性、および軽量化の観点から発泡スチレンが好ましいが、スチロール系樹脂やポリプロピレン樹脂等、他の発泡樹脂材であっても良い。
【００２４】
前記天井パネル５１を複数枚並設することにより、例えば図１５に示すように各天井パネル５１のダクト空間部５６が互いに連通した通気ダクト５８となる天井構造５９が構成される。このように、天井パネル５１の張付け施工を行うことで、同時に通気ダクト５８の施工が行われることになる。また、通気ダクト５８の配管のために支持部材を組付ける作業や、その断熱施工等も不要なため、通気ダクト５８の施工を簡単かつ低コストで行うことができる。また、天井パネル５１の下面は、例えば通気性のクロスで覆って吹出口５５を隠蔽することで、天井面を美麗に仕上げることができる。
【００２５】
この天井構造５９において、通気ダクト５８の終端部となる天井パネル５１Ａについては、そのダクト空間部５６の一部を詰部材６０で閉栓する。また、吹出口５５を開口させなくてよい位置に配置する天井パネル５１Ｂについては、Ｔ形のダクト空間部５６における吹出口５５への連通部に詰部材６１を介装して、吹出口５５をダクト空間部５６から遮断する。通気ダクト５８の直角に曲がる部分に配置される天井パネル５１Ｂ，５１Ｃでは、ダクト空間部５６をＬ状に形成したものを用いる。すなわち、天井パネル５１は、ダクト空間部５６の形状の異なる何種類かのものを準備しておくことで、その組み合わせにより種々の経路の通気ダクト５８を形成できる。この場合に、前記のように適宜詰部材６０，６１を設けることで、天井パネル５１の種類数を少なくして通気ダクト５８の種々の経路に対応可能となる。また、同図の例において、天井面の外周部には、前記空調用天井パネル５１，５１Ａ〜５１Ｄと形状および寸法が同一で、前記吹出口５５およびダクト空間部５６を有しない通常の天井パネル６２を設置する。
また、図１５の通気ダクト５８の導入部となる天井パネル５１Ｂに対しては、例えば間仕切りパネルの上部に配置した通気ダクトの分岐部を、天井パネル５１Ｂのダクト空間部５６に差し込んで連通させる。これにより、空調機から天井面の通気ダクト５８への温調空気の供給が行われる。
【００２６】
図１６は前記構成の天井パネル５１に電気ヒータ６３を設けた例を示す。電気ヒータ６３は、隣接する天井パネル５１，５１間で直列接続してもよく、また電源に対して並列に接続し、各天井パネル５１の電気ヒータ６３を選択的に通電できるようにしても良い。また、電気ヒータ６３に代えて冷媒配管を内蔵させても良い。電気ヒータ６３や冷媒配管は天井パネル５１に埋め込み状態に設けても、あるいは下面に露出状態に設けても良い。
【００３２】
【発明の効果】
この発明の天井空調装置は、部屋内の天井面における一側縁の近傍に沿って吹出スリットを設け、前記側縁と対向する側縁の近傍に沿って排気スリットを設けたため、室内全体にむらのない快適な換気が効率的に行える。
前記天井面の一部または全体を、吹出口付きの空調用天井パネルが並設されたものとし、前記空調用天井パネルを、断熱性の発砲樹脂製の天井パネルであって、下面に開口した吹出口と、この吹出口の内壁面およびパネル端面に開口したダクト空間部とを有するものとし、前記いずれかの空調用天井パネルのダクト空間部に、温度調整空気を供給する空調機を接続した構成とした場合は、並設される空調用天井パネル間でダクト空間部が連通し、このダクト空間部に空調機から温度調整空気を送り込むことにより、各空調用天井パネルの吹出口から室内空間に温度調整空気が吹き出されるので、天井パネルを設置するだけで空調ダクトの配管作業や吹出口の取付け作業が完了することになり、施工が簡単になる。
【図面の簡単な説明】
【図１】  本発明の基礎となる提案例に係る天井空調装置を部屋側から見た斜視図である。
【図２】  同天井空調装置を天井裏側から見た斜視図である。
【図３】  同天井空調装置のパネル取付構造例を換気路と共に示す縦断面図である。
【図４】  同天井空調装置のパネル取付構造の他部の縦断面図である。
【図５】  同天井空調装置のパネル取付構造例および換気路の他の例を示す縦断面図である。
【図６】  同天井空調装置のパネル取付構造例および換気路のさらに他の例を示す縦断面図である。
【図７】  同天井空調装置の天井の下面図である。
【図８】  同天井空調装置の換気流の速度分布を示す図である。
【図９】  同天井空調装置の天井のパネル割付構成の各例を示す平面図である。
【図１０】  （Ａ）は同天井空調装置に使用する天井放射パネルの破断平面図、（Ｂ）は同部分破断側面図、（Ｃ）はその膨管部の拡大断面図、（Ｄ）は膨管部の製造過程を示す断面図である。
【図１１】  同天井空調装置を採用した建物２階部分の全体を示す管路系統説明図である。
【図１２】  （Ａ）は同天井空調装置に使用する天井放射パネルの別の例の破断平面図、（Ｂ）はその部分拡大破断側面図、（Ｃ）はその配管継手の平面図、（Ｄ）は同天井放射パネルにおける配管継手の近傍を示す断面図である。
【図１３】  同天井放射パネルを用いた建物２階部分の全体を示す管路系統説明図である。
【図１４】  （Ａ）〜（Ｄ）は、この発明の一実施形態にかかる天井空調装置に使用する空調用天井パネルの下面図、背面図、側面図、および表裏反転して示す斜視図である。
【図１５】  同天井パネルを使用した天井構造を示す平面図である。
【図１６】  同天井パネルに電気ヒータを内蔵させた例を示す平面図である。
【符号の説明】
１…部屋、２…天井面、２Ｂ…放射冷暖房天井部、５１…空調用天井パネル
【図１】
0003759777.tif 000002
【図２】
0003759777.tif 000003
【図３】
0003759777.tif 000004
【図４】
0003759777.tif 000005
【図５】
0003759777.tif 000006
【図６】
0003759777.tif 000007
【図７】
0003759777.tif 000008
【図８】
0003759777.tif 000009
【図９】
0003759777.tif 000010
【図１０】
0003759777.tif 000011
【図１１】
0003759777.tif 000012
【図１２】
0003759777.tif 000013
【図１３】
0003759777.tif 000014
【図１４】
0003759777.tif 000015
【図１５】
0003759777.tif 000016
【図１６】
0003759777.tif 000017